(57)【要約】【課題】所望の条件を満たす動画を撮影することができるものにおいて、撮影者の意図したタイミングで撮影を終了することができる撮影装置、撮影方法及びプログラムを提供する。【解決手段】撮影装置１は、制御部１１と、撮影部１３と、を備え、撮影部１３は動画を撮影し、制御部１１は、動画の撮影中に停止条件が満たされたら動画の撮影の停止を行い、動画の撮影中に継続条件が満たされた場合は、停止条件に基づいた動画の撮影の停止を行わない。【選択図】図１
2017060081.tif 000002
【特許請求の範囲】
【請求項１】
動画を撮影する撮影手段と、
前記動画の撮影中に停止条件が満たされたら前記動画の撮影の停止を行い、前記動画の撮影中に継続条件が満たされた場合は、前記停止条件に基づいた前記動画の撮影の停止を行わない制御手段と、
を備える、
ことを特徴とする撮影装置。
【請求項２】
前記停止条件は、前記動画の撮影開始からの経過時間が閾値よりも大きくなったときに満たされる、
ことを特徴とする請求項１に記載の撮影装置。
【請求項３】
前記制御手段は、撮影中の前記動画の映像又は音声の少なくとも一方を解析して評価値を取得し、
前記継続条件は、前記評価値が閾値よりも大きくなったときに満たされる、
ことを特徴とする請求項１又は２に記載の撮影装置。
【請求項４】
前記制御手段は、ユーザの生体情報又は運動情報の少なくとも一方を取得して前記評価値を取得する、
ことを特徴とする請求項３に記載の撮影装置。
【請求項５】
報知を行う報知手段をさらに備え、
前記制御手段は、前記停止条件が満たされる前に前記報知手段を制御して前記動画の撮影の停止が近い旨を報知する、
ことを特徴とする請求項１から４のいずれか１項に記載の撮影装置。
【請求項６】
前記制御手段は、
前記報知手段を制御して前記停止条件が満たされるまでの指標を示すカウントダウン報知を行い、
前記継続条件が満たされた場合は、前記報知手段を制御して撮影開始からの経過時間を示すカウントアップ報知を行う、
ことを特徴とする請求項５に記載の撮影装置。
【請求項７】
前記制御手段は、前記報知手段を制御して撮影中の前記動画を投稿可能な動画投稿サービスを報知し、
前記動画投稿サービスは、前記動画の撮影時間に制限が設けられている、
ことを特徴とする請求項５又は６に記載の撮影装置。
【請求項８】
前記制御手段は、撮影した前記動画の映像又は音声の少なくとも一方を解析して編集評価値を取得し、前記編集評価値が小さい部分を削除して撮影した前記動画を編集する、
ことを特徴とする請求項１から７のいずれか１項に記載の撮影装置。
【請求項９】
撮影した前記動画をネットワークを介して動画投稿サービスにアップロードする通信手段をさらに備える、
ことを特徴とする請求項１から８のいずれか１項に記載の撮影装置。
【請求項１０】
動画の撮影を開始し、
前記動画の撮影中に停止条件が満たされたら前記動画の撮影の停止を行い、前記動画の撮影中に継続条件が満たされた場合は、前記停止条件に基づいた前記動画の撮影の停止を行わない、
ことを特徴とする撮影方法。
【請求項１１】
コンピュータに、
動画の撮影を開始させ、
前記動画の撮影中に停止条件が満たされたら前記動画の撮影の停止をさせ、前記動画の撮影中に継続条件が満たされた場合は、前記停止条件に基づいた前記動画の撮影の停止をさせない、
ことを特徴とするプログラム。
【発明の詳細な説明】
【技術分野】
【０００１】
本発明は、撮影装置、撮影方法及びプログラムに関する。
【背景技術】
【０００２】
撮影した動画をインターネットを利用して投稿し、投稿された動画を視聴する動画投稿サービスが多く存在している。そのような動画投稿サービスには、投稿できる動画の再生時間（撮影時間）やファイルサイズに制限が設けられていることが多い。動画を投稿しようとする利用者は、その制限を満たす動画を作成し、投稿する必要がある。
【０００３】
従来、撮影開始から一定の時間が経過すると、撮影を自動停止する撮影装置が知られている。特許文献１には、ビデオカメラで決められた時間のみ自動記録できるモード（時間制限モード）を有する記録装置が記載されている。
【先行技術文献】
【特許文献】
【０００４】
【特許文献１】特開２００５−０２０４８４号公報
【発明の概要】
【発明が解決しようとする課題】
【０００５】
特許文献１に記載の記録装置において、撮影時間を動画投稿サービスの制限時間に一致させれば、動画投稿サービスに投稿可能な長さの動画を撮影することができる。しかし、一定の時間で撮影が終了してしまうため、撮影者の意図しないタイミングで撮影が終了され、撮影者の望んだ動画が撮影できなくなってしまう可能性がある。
【０００６】
このようなことから、再生時間（撮影時間）のような所望の条件を満たす動画を撮影することができるものにおいて、撮影者の意図したタイミングで撮影を終了することができる撮影装置が求められていた。
【０００７】
本発明はかかる課題に鑑みてなされたものであって、所望の条件を満たす動画を撮影することができるものにおいて、撮影者の意図したタイミングで撮影を終了することができる撮影装置、撮影方法及びプログラムを提供することを目的とする。
【課題を解決するための手段】
【０００８】
上記目的を達成するため、本発明に係る撮影装置の一様態は、
動画を撮影する撮影手段と、
前記動画の撮影中に停止条件が満たされたら前記動画の撮影の停止を行い、前記動画の撮影中に継続条件が満たされた場合は、前記停止条件に基づいた前記動画の撮影の停止を行わない制御手段と、
を備える、
ことを特徴とする。
【０００９】
また、上記目的を達成するため、本発明に係る撮影方法の一様態は、
動画の撮影を開始し、
前記動画の撮影中に停止条件が満たされたら前記動画の撮影の停止を行い、前記動画の撮影中に継続条件が満たされた場合は、前記停止条件に基づいた前記動画の撮影の停止を行わない、
ことを特徴とする。
【００１０】
また、上記目的を達成するため、本発明に係るプログラムの一様態は、
コンピュータに、
動画の撮影を開始させ、
前記動画の撮影中に停止条件が満たされたら前記動画の撮影の停止をさせ、前記動画の撮影中に継続条件が満たされた場合は、前記停止条件に基づいた前記動画の撮影の停止をさせない、
ことを特徴とする。
【発明の効果】
【００１１】
本発明によれば、所望の条件を満たす動画を撮影することができるものにおいて、撮影者の意図したタイミングで撮影を終了することができる撮影装置、撮影方法及びプログラムを提供できる。
【図面の簡単な説明】
【００１２】
【図１】実施形態１に係る撮影装置の構成を示すブロック図である。
【図２】実施形態１に係る表示部が表示する画面を示す図である。
【図３】実施形態１に係る動画撮影処理を示すフローチャートである。
【図４】実施形態２に係る表示部が表示する画面を示す図である。
【図５】実施形態２に係る動画撮影処理を示すフローチャートである。
【図６】実施形態３に係る表示部が表示する画面を示す図である。
【図７】実施形態３に係る表示部が表示する画面を示す図である。
【図８】実施形態３に係る動画撮影処理を示すフローチャートである。
【図９】実施形態４に係る表示部が表示する画面を示す図である。
【図１０】実施形態４に係る表示部が表示する画面を示す図である。
【図１１】実施形態４に係る動画撮影処理を示すフローチャートである。
【図１２】実施形態５に係る撮影装置の構成を示すブロック図である。
【図１３】実施形態６に係る撮影装置の構成を示すブロック図である。
【図１４】実施形態６に係る評価値と時間との関係を示す図である。
【図１５】実施形態７に係る表示部が表示する画面を示す図である。
【図１６】実施形態７に係る動画撮影処理を示すフローチャートである。
【発明を実施するための形態】
【００１３】
（実施形態１）
以下、本発明の実施形態１について、図面を参照して説明する。なお、図中同一又は相当する部分には同一符号を付す。
【００１４】
図１は、本発明の実施形態１に係る撮影装置１の構成を示すブロック図である。撮影装置１は、図１に示すように、制御部１１と、記憶部１２と、撮影部１３と、表示部１４と、操作部１５と、電源部１６と、接続部１７と、を備える。
【００１５】
撮影装置１は、例えばデジタルカメラであって、被写体の撮影及び撮影した動画の保存や表示を行う撮影装置である。以降、撮影装置１は動画を撮影するものとして説明するが、静止画を撮影することも可能である。本明細書では、動画とは映像と音声とを合わせたものをいう。
【００１６】
制御部１１は、例えばＣＰＵ（Central Processing Unit）であって、後述する記憶部１２に記憶されたプログラムを実行することにより撮影装置１を制御する処理装置である。制御部１１は、制御手段として機能する。
【００１７】
記憶部１２は、撮影装置１の制御を行うためのプログラムやデータ、撮影装置１が撮影した動画データ、動画投稿サービスとその制限時間等を記憶する記憶装置である。また、記憶部１２は、制御部１１が種々の処理を実行する際の記憶領域としても機能する。記憶部１２は、例えばＲＯＭ（Read Only Memory）、ＲＡＭ（Random Access Memory）、メモリカード等を含む。
【００１８】
撮影部１３は、被写体を撮影して動画を記憶部に供給する撮影装置である。撮影部１３は、例えばレンズ、ＣＭＯＳ（Complementary Metal Oxide Semiconductor）イメージセンサ、ＣＣＤ（Charge-Coupled Device）イメージセンサ、Ａ／Ｄ変換器等の撮像装置と、マイク等の音声取得装置とを含む。
【００１９】
表示部１４は、例えば液晶パネルであって、取得中の又は記憶した被写体の画像、撮影装置１の状態を示す情報、撮影装置１の操作に関する情報等を表示する表示装置である。
【００２０】
操作部１５は、撮影装置１を操作及び制御するためのユーザの入力を受け付けるインターフェースである。操作部１５は、例えば電源ボタン、シャッタボタン、選択ボタン等を含む。
【００２１】
電源部１６は、制御部１１、記憶部１２、撮影部１３、表示部１４、操作部１５等に電力を供給する電源である。電源部１６は、例えば乾電池のような一次電池又はリチウムイオン二次電池のような二次電池等を含む。
【００２２】
接続部１７は、撮影装置１と外部の装置とを接続するための接続装置である。接続部１７は、例えばＵＳＢ（Universal System Bus）接続端子、Ｂｌｕｅｔｏｏｔｈ（登録商標）接続端子、無線ＬＡＮ（Local Area Network）モジュール及びそれらを制御するための回路等を含む。
【００２３】
撮影装置１の制御に関する構成について図を参照して説明する。
【００２４】
図１に示すように、制御部１１は、撮影制御部２１と、条件設定部２２と、判定部２３と、表示制御部２４と、を備える。
【００２５】
撮影制御部２１は、ユーザの入力に応じて撮影部１３を制御し、動画の撮影を行う。具体的には、撮影制御部２１は、操作部１５を介したユーザの入力に応じて撮影部１３を制御し、撮影（動画撮影）の開始及び終了、動画の拡大及び縮小、画質やピントの調節等を行う。撮影制御部２１は撮影部１３を制御して撮影を行うことで、撮影手段として機能する。
【００２６】
条件設定部２２は、停止条件を設定し、後述する判定部２３に伝達する。具体的には、条件設定部２２は、ユーザが操作部１５を介して「投稿動画撮影モード」を選択すると、所定の停止条件を設定して、判定部２３に伝達する。
【００２７】
停止条件とは、それが満たされたときに、撮影を停止するための条件である。停止条件は、例えばユーザが動画を投稿しようとするサービスに応じて設定される。具体的には、ユーザが動画を投稿しようとする動画投稿サービスが、投稿する動画の再生時間（制限時間）を３０秒までとしていた場合、停止条件は動画撮影時間として設定され、値は３０秒となる。
【００２８】
判定部２３は、停止条件及び後述する継続条件が満たされたかどうかを判定する。判定部２３は、停止条件に関する動画のパラメータを取得し、停止条件が満たされた場合に、撮影制御部２１に条件が満たされたことを伝達する。また、判定部２３は、継続条件に関する入力を取得し、継続条件が満たされた場合は、停止条件が満たされたかどうかの判定を行わない。
【００２９】
継続条件とは、それが満たされたときに、停止条件によって撮影を停止しなくなるための条件である。継続条件は、例えば、撮影を継続するという指示が、操作部１５を介して入力されることとして設定される。撮影が停止条件によって停止されなくなった場合、ユーザが操作部１５を介して撮影終了を指示することによって、撮影制御部２１が撮影を終了させる。
【００３０】
表示制御部２４は、表示部１４を制御し、動画撮影に関する表示を行う。表示制御部２４は、図２に示す表示Ａのような、制限を超えて撮影を継続（延長）するかどうかを選択させる表示をユーザに提示する。ユーザが操作部１５を介して継続することを選択した場合、継続条件が満たされる。
【００３１】
撮影装置１の動画撮影処理について、図３のフローチャートを参照して説明する。
【００３２】
ユーザが操作部１５を介して「投稿動画撮影モード」を選択し、動画撮影の開始を指示すると、条件設定部２２が停止条件を設定する（ステップＳ１０１）。
【００３３】
条件が設定されると、撮影制御部２１は、撮影部１３を制御して撮影を開始する（ステップＳ１０２）。
【００３４】
判定部２３は、継続条件が満たされたかどうか判定する（ステップＳ１０３）。
【００３５】
継続条件が満たされた場合（ステップＳ１０３：ＹＥＳ）、撮影制御部２１は、ユーザの撮影終了指示が操作部１５を介して入力されたかどうかを判定する（ステップＳ１０４）。撮影終了が指示されていない場合（ステップＳ１０４：ＮＯ）、ステップＳ１０４以前に戻り、撮影が継続される。
【００３６】
撮影終了が指示された場合（ステップＳ１０４：ＹＥＳ）、撮影制御部２１は撮影部１３を制御して、撮影を停止し（ステップＳ１０５）、動画撮影処理を終了する。
【００３７】
継続条件が満たされていない場合（ステップＳ１０３：ＮＯ）判定部２３は、停止条件が満たされたかどうかを判定する（ステップＳ１０６）。停止条件が満たされていない場合（ステップＳ１０６：ＮＯ）、ステップＳ１０３以前に戻り、撮影が継続される。
【００３８】
停止条件が満たされた場合（ステップＳ１０６：ＹＥＳ）、判定部２３は停止条件が満たされたことを撮影制御部２１に伝達する。伝達を受けた撮影制御部２１は、撮影部１３を制御して、撮影を停止し（ステップＳ１０５）、動画撮影処理を終了する。
【００３９】
以上のような動画撮影処理を実行することにより、撮影装置１は、停止条件に設定された条件を満たす動画を撮影することができる。また、ユーザが動画の撮影を継続したい場合は、停止条件に関わらず動画の撮影を延長することができるため、ユーザの意図したタイミングで撮影を終了することが可能になり、ユーザが望む動画を撮影することができる。
【００４０】
（実施形態２）
以下、本発明の実施形態２について、図面を参照して説明する。なお、図中同一又は相当する部分には同一符号を付す。
【００４１】
実施形態２に係る撮影装置１の条件設定部２２は、報知条件を設定する。報知条件とは、それが満たされたときに、停止条件が近づいていることをユーザに報知するための条件である。報知条件は、停止条件と同様の条件であって、停止条件よりも先に満たされるように設定される。報知条件は、停止条件が動画撮影時間３０秒と設定されていた場合、例えば動画撮影時間２５秒と設定される。
【００４２】
表示制御部２４は、動画撮影中に報知条件が満たされたことが判定部２３から伝達されると、図４に示す表示Ｂのような、撮影の停止が近いことを示し、制限を超えて撮影を継続（延長）するかどうかを選択させる表示をユーザに提示する。ユーザが操作部１５を介して継続することを選択した場合、継続条件が満たされる。
【００４３】
ユーザが撮影の継続を選択しなかった場合、即ち継続条件が満たされなかった場合は、撮影中に停止条件が満たされると、実施形態１と同様に、判定部２３は停止条件が満たされたことを撮影制御部２１に伝達する。
【００４４】
一方、ユーザが撮影の継続を選択した場合、即ち継続条件が満たされた場合は、停止条件が満たされても、撮影制御部２１は撮影を停止することがなくなる。具体的には、撮影の継続が選択されたことが判定部２３に伝達され、判定部２３が停止条件が満たされたかどうかの判定を行わなくなる。又は、撮影の継続が選択されたことが撮影制御部２１に伝達され、判定部２３が停止条件が満たされたことを撮影制御部２１に伝達しても、撮影制御部２１は撮影を停止しなくなる。
【００４５】
撮影が続行された場合、ユーザが操作部１５を介して撮影終了を指示することによって、撮影制御部２１が撮影を終了させる。
【００４６】
撮影装置１の動画撮影処理について、図５のフローチャートを参照して説明する。
【００４７】
ユーザが操作部１５を介して「投稿動画撮影モード」を選択し、動画撮影の開始を指示すると、条件設定部２２が停止条件及び報知条件を設定する（ステップＳ２０１）。
【００４８】
条件が設定されると、撮影制御部２１は、撮影部１３を制御して撮影を開始する（ステップＳ２０２）。
【００４９】
撮影が開始されると、判定部２３は、報知条件が満たされたかどうかを判定する（ステップＳ２０３）。報知条件が満たされていない場合（ステップＳ２０３：ＮＯ）、ステップＳ２０３以前に戻り、撮影が継続される。
【００５０】
報知条件が満たされた場合（ステップＳ２０３：ＹＥＳ）、判定部２３は報知条件が満たされたことを表示制御部２４に伝達する。伝達を受けた表示制御部２４は、表示部１４を制御して、撮影の停止が近いことを示し、制限を超えて撮影を継続するかどうかを選択させる表示（継続の選択肢）をユーザに提示する（ステップＳ２０４）。
【００５１】
判定部２３は、継続条件が満たされたかどうかを判定する（ステップＳ２０５）。
【００５２】
継続条件が満たされた場合（ステップＳ２０５：ＹＥＳ）、撮影制御部２１は、ユーザの撮影終了指示が操作部１５を介して入力されたかどうかを判定する（ステップＳ２０６）。撮影終了が指示されていない場合（ステップＳ２０６：ＮＯ）、ステップＳ２０６以前に戻り、撮影が継続される。
【００５３】
撮影終了が指示された場合（ステップＳ２０６：ＹＥＳ）、撮影制御部２１は撮影部１３を制御して、撮影を停止し（ステップＳ２０７）、動画撮影処理を終了する。
【００５４】
継続条件が満たされていない場合（ステップＳ２０５：ＮＯ）判定部２３は、停止条件が満たされたかどうかを判定する（ステップＳ２０８）。停止条件が満たされていない場合（ステップＳ２０８：ＮＯ）、ステップＳ２０５以前に戻り、撮影が継続される。
【００５５】
停止条件が満たされた場合（ステップＳ２０８：ＹＥＳ）、判定部２３は停止条件が満たされたことを撮影制御部２１に伝達する。伝達を受けた撮影制御部２１は、撮影部１３を制御して、撮影を停止し（ステップＳ２０７）、動画撮影処理を終了する。
【００５６】
以上のような動画撮影処理を実行することにより、撮影装置１は、停止条件が近いときにユーザにそのことと選択肢とを提示することで、ユーザの撮影を延長するかどうかの選択をより容易にし、ユーザが望む動画を撮影することができる。
【００５７】
（実施形態３）
以下、本発明の実施形態３について、図面を参照して説明する。なお、図中同一又は相当する部分には同一符号を付す。
【００５８】
実施形態３に係る撮影装置１の表示制御部２４は、動画撮影が開始されると、表示部１４を制御して、停止条件が満たされるまでの指標を示すカウントダウン報知を行う。停止条件が制限時間である場合には、カウントダウン報知は制限時間までの残り時間を示す図６の表示Ｃのようなタイマーである。動画撮影が進み、報知条件が満たされたことが判定部２３から伝達されると、撮影の停止が近いことを示す表示をユーザに提示するとともに、制限を超えて撮影を継続するかどうかの選択肢をユーザに提示する。
【００５９】
ユーザが撮影の継続を選択しなかった場合は、動画撮影及びカウントダウン報知が継続される。その後、停止条件が満たされると、実施形態１と同様に、判定部２３は停止条件が満たされたことを撮影制御部２１に伝達し、撮影が停止される。
【００６０】
一方、ユーザが撮影の継続を選択した場合、表示制御部２４は、表示部１４を制御して、カウントダウン報知の替わりに撮影開始からの経過を示すカウントアップ報知を行う。カウントアップ報知はカウントダウン報知に対応し、停止条件が制限時間である場合には、撮影開始からの経過時間を示す図７の表示Ｄのようなタイマーである。
【００６１】
撮影装置１の動画撮影処理について、図８のフローチャートを参照して説明する。
【００６２】
ユーザが操作部１５を介して「投稿動画撮影モード」を選択し、動画撮影の開始を指示すると、条件設定部２２が停止条件及び報知条件を設定する（ステップＳ３０１）。
【００６３】
条件が設定されると、撮影制御部２１は、撮影部１３を制御して撮影を開始する（ステップＳ３０２）。
【００６４】
撮影が開始されると、表示制御部２４は、表示部１４を制御して停止条件が満たされるまでのカウントダウン報知を行う（ステップＳ３０３）。
【００６５】
表示が行われると、判定部２３は、報知条件が満たされたかどうかを判定する（ステップＳ３０４）。報知条件が満たされていない場合（ステップＳ３０４：ＮＯ）、ステップＳ２０４以前に戻り、撮影が継続される。
【００６６】
報知条件が満たされた場合（ステップＳ３０４：ＹＥＳ）、判定部２３は報知条件が満たされたことを表示制御部２４に伝達する。伝達を受けた表示制御部２４は、表示部１４を制御して、撮影の停止が近いことを示し、制限を超えて撮影を継続するかどうかを選択させる表示（継続の選択肢）をユーザに提示する（ステップＳ３０５）。
【００６７】
判定部２３は、継続条件が満たされたかどうかを判定する（ステップＳ３０６）。
【００６８】
継続条件が満たされた場合（ステップＳ３０６：ＹＥＳ）、表示制御部２４は、表示部１４を制御してカウントダウン報知に替えて動画撮影開始からの経過を示すカウントアップ報知を行う（ステップＳ３０７）。
【００６９】
撮影制御部２１は、ユーザの撮影終了指示が操作部１５を介して入力されたかどうかを判定する（ステップＳ３０８）。撮影終了が指示されていない場合（ステップＳ３０８：ＮＯ）、ステップＳ３０８以前に戻り、撮影が継続される。
【００７０】
撮影終了が指示された場合（ステップＳ３０８：ＹＥＳ）、撮影制御部２１は撮影部１３を制御して、撮影を停止し（ステップＳ３０９）、動画撮影処理を終了する。
【００７１】
継続条件が満たされていない場合（ステップＳ３０６：ＮＯ）判定部２３は、停止条件が満たされたかどうかを判定する（ステップＳ３１０）。停止条件が満たされていない場合（ステップＳ３１０：ＮＯ）、ステップＳ３０６以前に戻り、撮影が継続される。
【００７２】
停止条件が満たされた場合（ステップＳ３１０：ＹＥＳ）、判定部２３は停止条件が満たされたことを撮影制御部２１に伝達する。伝達を受けた撮影制御部２１は、撮影部１３を制御して、撮影を停止し（ステップＳ３０９）、動画撮影処理を終了する。
【００７３】
以上のような動画撮影処理を実行することにより、撮影装置１は、カウントダウン報知とカウントアップ報知とを行うことで、ユーザに停止条件までの指標と撮影開始からの経過とを意識させることができ、より望ましい動画を撮影することができる。
【００７４】
（実施形態４）
以下、本発明の実施形態４について、図面を参照して説明する。なお、図中同一又は相当する部分には同一符号を付す。
【００７５】
実施形態４に係る撮影装置１の表示制御部２４は、撮影開始からの経過時間と制限時間とを比較し、制限時間が撮影開始からの経過時間より大きい動画投稿サービスを示す情報を表示する。
【００７６】
例えば、動画投稿サービスＸの制限時間が３０秒であり、動画投稿サービスＹの制限時間が４０秒であった場合、図９の表示Ｅのように、撮影開始から３０秒までは動画投稿サービスＸ、Ｙを示す情報をともに表示する。撮影開始から３０秒を経過したら、図１０の表示Ｆのように、投稿不可能になった動画投稿サービスＸを表示せず、動画投稿サービスＹのみを表示する。
【００７７】
撮影装置１の動画撮影処理について、図１１のフローチャートを参照して説明する。
【００７８】
ユーザが操作部１５を介して「投稿動画撮影モード」を選択し、動画撮影の開始を指示すると、条件設定部２２が停止条件及び報知条件を設定する（ステップＳ４０１）。
【００７９】
条件が設定されると、撮影制御部２１は、撮影部１３を制御して撮影を開始する（ステップＳ４０２）。
【００８０】
撮影が開始されると、表示制御部２４は、表示部１４を制御して動画投稿サービスを示す情報を表示する（ステップＳ４０３）。
【００８１】
表示が行われると、判定部２３は、報知条件が満たされたかどうかを判定する（ステップＳ４０４）。報知条件が満たされていない場合（ステップＳ４０４：ＮＯ）、ステップＳ４０４以前に戻り、撮影が継続される。
【００８２】
報知条件が満たされた場合（ステップＳ４０４：ＹＥＳ）、判定部２３は報知条件が満たされたことを表示制御部２４に伝達する。伝達を受けた表示制御部２４は、表示部１４を制御して、撮影の停止が近いことを示し、制限を超えて撮影を継続するかどうかを選択させる表示（継続の選択肢）をユーザに提示する（ステップＳ４０５）。
【００８３】
判定部２３は、継続条件が満たされたかどうかを判定する（ステップＳ４０６）。
【００８４】
継続条件が満たされた場合（ステップＳ４０６：ＹＥＳ）、表示制御部２４は、撮影開始からの経過時間と各動画投稿サービスの制限時間とを比較し、撮影開始からの経過時間が制限時間を超えたかどうかを判断する（ステップＳ４０７）。
【００８５】
撮影開始からの経過時間が制限時間を超えていない場合（ステップＳ４０７：ＮＯ）、後述するステップＳ４０９に移行する。
【００８６】
撮影開始からの経過時間が制限時間を超えている場合（ステップＳ４０７：ＹＥＳ）、表示制御部２４は、その制限時間に対応する動画投稿サービスを示す情報を非表示にする（ステップＳ４０８）。
【００８７】
撮影制御部２１は、ユーザの撮影終了指示が操作部１５を介して入力されたかどうかを判定する（ステップＳ４０９）。撮影終了が指示されていない場合（ステップＳ４０９：ＮＯ）、ステップＳ４０７以前に戻り、撮影が継続される。
【００８８】
撮影終了が指示された場合（ステップＳ４０９：ＹＥＳ）、撮影制御部２１は撮影部１３を制御して、撮影を停止し（ステップＳ４１０）、動画撮影処理を終了する。
【００８９】
継続条件が満たされていない場合（ステップＳ４０６：ＮＯ）判定部２３は、停止条件が満たされたかどうかを判定する（ステップＳ４１１）。停止条件が満たされていない場合（ステップＳ４１１：ＮＯ）、ステップＳ４０６以前に戻り、撮影が継続される。
【００９０】
停止条件が満たされた場合（ステップＳ４１１：ＹＥＳ）、判定部２３は停止条件が満たされたことを撮影制御部２１に伝達する。伝達を受けた撮影制御部２１は、撮影部１３を制御して、撮影を停止し（ステップＳ４１０）、動画撮影処理を終了する。
【００９１】
以上のような動画撮影処理を実行することにより、撮影装置１は、撮影開始からの経過時間に対応する動画投稿サービスを示す表示を提示することで、動画投稿に適した動画を撮影することができる。
【００９２】
（実施形態５）
以下、本発明の実施形態５について、図面を参照して説明する。なお、図中同一又は相当する部分には同一符号を付す。
【００９３】
実施形態５に係る撮影装置１の制御部１１は、図１２に示すように、評価部２５をさらに備える。評価部２５は、撮影中の動画を解析し、動画の評価値を取得し、判定部２３に伝達する。例えば、評価部２５は、映像を解析して映像中の人の顔の数を数え、その数を評価値とする。
【００９４】
本実施形態において、継続条件は、評価値が閾値よりも大きいこととして設定される。判定部２３は、評価値を閾値と比較し、評価値が閾値よりも大きい場合は、継続条件が満たされたとして、停止条件が満たされたかどうかの判定を行わない。
【００９５】
以上のような構成を備えることにより、撮影装置１は、撮影を延長すべき場面かどうかを評価値を用いて判断し、延長すべき場合には撮影を継続することで、ユーザからの指示を得なくてもユーザが望むであろう動画を撮影することができる。
【００９６】
（実施形態６）
以下、本発明の実施形態６について、図面を参照して説明する。なお、図中同一又は相当する部分には同一符号を付す。
【００９７】
実施形態６に係る撮影装置１の制御部１１は、図１３に示すように、編集部２６をさらに備える。編集部２６は、記憶部２６が記憶する動画を、動画の内容に応じて動画投稿サービスに適した形式に編集する。
【００９８】
撮影装置１が撮影した動画は、動画投稿サービスに投稿可能な時間や容量を超えておりそのままでは投稿できない場合がある。そのようなとき、編集部２６は、撮影した動画を解析して評価値（編集評価値）を取得し、評価値の小さい部分を削除することで動画投稿サービスに投稿可能な形式に編集する。
【００９９】
図１４は、撮影した動画における評価値と時間との関係を示す図である。編集部２６は、例えば図１５に示すように、映像を解析して映像中の人の顔の数を数え、その数を評価値として時間とともに記憶部１２に記憶する。そして、時間ｔ１からｔ２のような評価値が小さい部分を動画から削除し、動画投稿サービスに投稿可能な長さに編集する。
【０１００】
編集部２６は、以上のように動画を編集することで、背景のみの部分が削除されて人物が写っている部分が残った、動画投稿サービスに投稿可能な長さの動画を作成する。
【０１０１】
以上のような構成を備えることにより、撮影装置１は、動画からユーザが望むであろう価値の高い部分を選択し、その部分を動画投稿サービスに投稿可能な形式に編集することで、ユーザが望む動画を作成することができる。
【０１０２】
（実施形態７）
以下、本発明の実施形態７について、図面を参照して説明する。なお、図中同一又は相当する部分には同一符号を付す。
【０１０３】
条件設定部２２は、停止条件と報知条件とを設定し、判定部２３に伝達する。具体的には、条件設定部２２は、ユーザが操作部１５を介して「投稿動画撮影モード」を選択すると、所定の停止条件を設定し、その停止条件に対応する報知条件を設定して、判定部２３に伝達する。
【０１０４】
判定部２３は、報知条件又は停止条件が満たされたかどうかを判定する。判定部２３は、停止条件及び報知条件に関する動画のパラメータを取得し、停止条件又は報知条件が満たされた場合に、撮像制御部２１又は表示制御部２４に条件が満たされたことを伝達する。
【０１０５】
表示制御部２４は、動画撮影中に報知条件が満たされたことが判定部２３から伝達されると、表示部１４を制御し、図１５に示す表示Ｇのような、撮影の停止が近いことを示す表示をユーザに提示する。
【０１０６】
撮像装置１の動画撮影処理について、図１６のフローチャートを参照して説明する。
【０１０７】
ユーザが操作部１５を介して「投稿動画撮影モード」を選択し、動画撮影の開始を指示すると、条件設定部２２が停止条件と報知条件とを設定する（ステップＳ７０１）。
【０１０８】
条件が設定されると、撮像制御部２１は、撮像部１３を制御して撮影を開始する（ステップＳ７０２）。
【０１０９】
判定部２３は、報知条件が満たされたかどうかを判定する（ステップＳ７０３）。報知条件が満たされていない場合（ステップＳ７０３：ＮＯ）、ステップＳ１０３以前に戻り、撮影が継続される。
【０１１０】
報知条件が満たされた場合（ステップＳ７０３：ＹＥＳ）、判定部２３は報知条件が満たされたことを表示制御部２４に伝達する。伝達を受けた表示制御部２４は、表示部１４を制御して、撮影の停止が近いことを示す表示（ガイド）をユーザに提示する（ステップＳ７０４）。
【０１１１】
報知条件が満たされた後、判定部２３は、停止条件が満たされたかどうかを判定する（ステップＳ７０５）。停止条件が満たされていない場合（ステップＳ７０５：ＮＯ）、ステップＳ７０５以前に戻り、撮影が継続される。
【０１１２】
停止条件が満たされた場合（ステップＳ７０５：ＹＥＳ）、判定部２３は停止条件が満たされたことを撮像制御部２１に伝達する。伝達を受けた撮像制御部２１は、撮像部１３を制御して、撮影を停止し（ステップＳ７０６）、動画撮影処理を終了する。
【０１１３】
以上のような動画撮影処理を実行することにより、撮像装置１は、停止条件に設定された条件を満たす動画を撮影することができる。また、撮像装置１によって撮影の停止が近いことを示す表示が提示されることで、ユーザは望ましい終わり方で撮影が終了されるように注意することができる。
【０１１４】
（変形例）
以上に本発明のいくつかの実施形態について説明したが、上記実施形態は一例であり、本発明の適用範囲はこれに限られない。すなわち、本発明の実施形態は種々の応用が可能であり、あらゆる実施の形態が本発明の範囲に含まれる。
【０１１５】
停止条件は、動画撮影時間であるとして説明したが、これに限られるものではない。例えば、動画ファイルの容量（ファイルサイズ）であってもよい。停止条件には、動画投稿サービスが要求する任意の制限に対応する条件が含まれる。
【０１１６】
表示部１４は、例えば液晶パネルであるとしたが、これに限られるものではない。例えばタッチパネルであって、操作部１５の機能を兼ねていてもよい。さらに、例えばスピーカを含み、音声によってユーザに対する報知を行ってもよい。表示部１４は、報知手段として機能する。
【０１１７】
条件設定部２２は、ユーザが操作部１５を介して「投稿動画撮影モード」を選択すると、停止条件を設定するとしたが、これに限られるものではない。例えば、表示制御部２４が動画投稿サービスのリストを表示し、ユーザがそのうちの一つを選択すると、その動画投稿サービスに対応した制限時間を停止条件として設定してもよい。
【０１１８】
判定部２３は、継続条件が満たされた場合は、停止条件が満たされたかどうかの判定を行わないとしたが、これに限られるものではない。例えば、継続条件が満たされたことを撮影制御部２１に伝達し、停止条件が満たされたかどうかの判定そのものは行ってもよい。この場合、判定部２３が停止条件が満たされたことを撮影制御部２１に伝達しても、撮影制御部２１は撮影を停止しなくなる。
【０１１９】
評価部２５は、撮影中の映像を解析して撮影を延長するかどうかを決定するとしたが、これに限られるものではない。例えば、音声を解析し、人の声が入っている場合に撮影を延長するとしてもよい。また、撮影者の声と被写体の発した声とを区別し、撮影者が声を出している場合に撮影を延長するとしてもよいし、被写体が声を出している場合に撮影を延長するとしてもよい。また、音量が閾値以上の場合に撮影を延長するとしてもよい。また、動画の手ぶれの量から決定してもよい。
【０１２０】
さらに、評価部２５は、撮影者の生体情報や運動情報から撮影を延長するかどうかを決定してもよい。例えば、撮影者の脈拍を測定し、閾値以上の場合に撮影を延長すると決定してもよい。また、撮影者の動きを測定し、閾値以上の速さで動いている場合には撮影を延長すると決定してもよい。撮影者の情報を取得する装置は、撮影装置１が備えていてもよいし、外部の機器であってもよい。
【０１２１】
編集部２６は、映像を解析して映像中の人の顔の数を数え、その数に応じて動画を編集するとしたが、これに限られるものではない。例えば、評価部２５と同様に、音声、手ぶれ、撮影者の情報等に応じて動画を編集してもよい。
【０１２２】
撮影装置１は、インターネットを介して通信を行う通信部（通信手段）をさらに備えてもよい。通信部を備えることで、撮影装置１は、撮影した動画をインターネットを介して動画投稿サービスにアップロードすることができる。
【０１２３】
説明した実施形態は、任意に組み合わせて実施することができる。例えば、実施形態５に係る撮影装置１の制御部１１が、実施形態６の編集部２６を備えていてもよい。
【０１２４】
なお、本発明に係る機能を実現するための構成を予め備えた撮影装置として提供できることはもとより、プログラムの適用により、既存の情報処理装置等を、本発明に係る撮影装置として機能させることもできる。すなわち、上記実施形態で例示した撮影装置１による各機能構成を実現させるためのプログラムを、既存の情報処理装置等を制御するＣＰＵ等が実行できるように適用することで、本発明に係る撮影装置として機能させることができる。また、本発明に係る撮影方法は、撮影装置を用いて実施できる。
【０１２５】
また、このようなプログラムの適用方法は任意である。プログラムを、例えば、フレキシブルディスク、ＣＤ（Compact Disc）−ＲＯＭ、ＤＶＤ（Digital Versatile Disc）−ＲＯＭ、メモリカード等のコンピュータ読み取り可能な記憶媒体に格納して適用できる。さらに、プログラムを搬送波に重畳し、インターネットなどの通信媒体を介して適用することもできる。例えば、通信ネットワーク上の掲示板（ＢＢＳ：Bulletin Board System）にプログラムを掲示して配信してもよい。そして、このプログラムを起動し、ＯＳ（Operating System）の制御下で、他のアプリケーションプログラムと同様に実行することにより、上記の処理を実行できるように構成してもよい。
【０１２６】
以上、本発明の好ましい実施形態について説明したが、本発明は係る特定の実施形態に限定されるものではなく、本発明には、特許請求の範囲に記載された発明とその均等の範囲とが含まれる。以下に、本願出願の当初の特許請求の範囲に記載された発明を付記する。
【０１２７】
（付記１）
動画を撮影する撮影手段と、
前記動画の撮影中に停止条件が満たされたら前記動画の撮影の停止を行い、前記動画の撮影中に継続条件が満たされた場合は、前記停止条件に基づいた前記動画の撮影の停止を行わない制御手段と、
を備える、
ことを特徴とする撮影装置。
【０１２８】
（付記２）
前記停止条件は、前記動画の撮影開始からの経過時間が閾値よりも大きくなったときに満たされる、
ことを特徴とする付記１に記載の撮影装置。
【０１２９】
（付記３）
前記制御手段は、撮影中の前記動画の映像又は音声の少なくとも一方を解析して評価値を取得し、
前記継続条件は、前記評価値が閾値よりも大きくなったときに満たされる、
ことを特徴とする付記１又は２に記載の撮影装置。
【０１３０】
（付記４）
前記制御手段は、ユーザの生体情報又は運動情報の少なくとも一方を取得して前記評価値を取得する、
ことを特徴とする付記３に記載の撮影装置。
【０１３１】
（付記５）
報知を行う報知手段をさらに備え、
前記制御手段は、前記停止条件が満たされる前に前記報知手段を制御して前記動画の撮影の停止が近い旨を報知する、
ことを特徴とする付記１から４のいずれか１つに記載の撮影装置。
【０１３２】
（付記６）
前記制御手段は、
前記報知手段を制御して前記停止条件が満たされるまでの指標を示すカウントダウン報知を行い、
前記継続条件が満たされた場合は、前記報知手段を制御して撮影開始からの経過時間を示すカウントアップ報知を行う、
ことを特徴とする付記５に記載の撮影装置。
【０１３３】
（付記７）
前記制御手段は、前記報知手段を制御して撮影中の前記動画を投稿可能な動画投稿サービスを報知し、
前記動画投稿サービスは、前記動画の撮影時間に制限が設けられている、
ことを特徴とする付記５又は６に記載の撮影装置。
【０１３４】
（付記８）
前記制御手段は、撮影した前記動画の映像又は音声の少なくとも一方を解析して編集評価値を取得し、前記編集評価値が小さい部分を削除して撮影した前記動画を編集する、
ことを特徴とする付記１から７のいずれか１つに記載の撮影装置。
【０１３５】
（付記９）
撮影した前記動画をネットワークを介して動画投稿サービスにアップロードする通信手段をさらに備える、
ことを特徴とする付記１から８のいずれか１つに記載の撮影装置。
【０１３６】
（付記１０）
動画の撮影を開始し、
前記動画の撮影中に停止条件が満たされたら前記動画の撮影の停止を行い、前記動画の撮影中に継続条件が満たされた場合は、前記停止条件に基づいた前記動画の撮影の停止を行わない、
ことを特徴とする撮影方法。
【０１３７】
（付記１１）
コンピュータに、
動画の撮影を開始させ、
前記動画の撮影中に停止条件が満たされたら前記動画の撮影の停止をさせ、前記動画の撮影中に継続条件が満たされた場合は、前記停止条件に基づいた前記動画の撮影の停止をさせない、
ことを特徴とするプログラム。
【符号の説明】
【０１３８】
１…撮影装置、１１…制御部、１２…記憶部、１３…撮影部、１４…表示部、１５…操作部、１６…電源部、１７…接続部、２１…撮影制御部、２２…条件設定部、２３…判定部、２４…表示制御部、２５…評価部、２６…編集部
【図１】
2017060081.tif 000003
【図２】
2017060081.tif 000004
【図３】
2017060081.tif 000005
【図４】
2017060081.tif 000006
【図５】
2017060081.tif 000007
【図６】
2017060081.tif 000008
【図７】
2017060081.tif 000009
【図８】
2017060081.tif 000010
【図９】
2017060081.tif 000011
【図１０】
2017060081.tif 000012
【図１１】
2017060081.tif 000013
【図１２】
2017060081.tif 000014
【図１３】
2017060081.tif 000015
【図１４】
2017060081.tif 000016
【図１５】
2017060081.tif 000017
【図１６】
2017060081.tif 000018